(57)【要約】      （修正有）【課題】ペダルをクランプから取り外し、反対向きに挿入して設置することができる自転車ペダルの組み立て構造を提供する。【解決手段】自転車ペダルの組み立て構造は、サポートジョイント２０により、クランプ３０に接合し、ペダル１０の可動接続シャフト１２を、制御棒１３も一緒に、サポートジョイント２０の接合挿入槽２２に挿入して接合する。制御棒１３のプッシュヘッド１３４を押すと、ペダル１０の可動接続シャフト１２は、制御棒１３も一緒に、接合挿入槽２２から抜き取られ、さらに、抜き取られたペダル１０は、反対向きに、可動接続シャフト１２を、サポートジョイント２０の接合挿入槽２２内側から挿入して接合することができる。【選択図】図１
0003154772.tif 000002
【実用新案登録請求の範囲】
【請求項１】
ペダル、サポートジョイント、クランプを備え、
前記ペダルは、ペダル面を備え、その片側には、可動接続シャフトを延伸し、前記可動接続シャフトは、外端から内部へ挿入設置槽を形成し、内周縁上には、定位槽孔を設置し、前記ペダルはさらに、制御棒、弾性体、定位体を備え、前記制御棒の棒体上には、頂点面位置、及び相対的に低い受け止め槽を設置し、棒体の先端には、プッシュヘッドを形成し、
前記弾性体は、先ず、前記可動接続シャフトの挿入設置槽内に入り、
次に、前記弾性体に接触するまで前記制御棒を挿入し、前記制御棒の頂点面位置と受け止め槽の内の一方は、前記定位槽孔に対応し、
こうして、前記定位体を、前記定位槽孔外部から挿入し、その底縁は前記制御棒の頂点面位置と受け止め槽の内の一方に接触し、
続いて、加工により、前記定位槽孔の外部開口部を内側へと縮め、前記定位体が前記定位槽孔から脱出しないようにし、
前記サポートジョイントは、円柱状の短いブロック体で、片側からは接合用の外ネジヤマが延伸し、縦方向に、接合挿入槽が貫通し、内縁には、定位孔を設置し、
前記クランプの一方の端は、自転車上に組み立て、反対端には、接合用の内ネジヤマを設置し、
前記サポートジョイントの外ネジヤマを、前記クランプの内ネジヤマ内に螺接し、
次に、前記可動接続シャフトを、前記サポートジョイントの接合挿入槽から挿入して接合し、
前記制御棒の頂点面位置により、前記定位体を持ち上げ上方へと移動させ、前記サポートジョイントの定位孔内に入れ停留させ、こうして接合し、
前記プッシュヘッドを押すことで、前記制御棒の受け止め槽には、前記定位体が入り停留し、こうして、前記ペダルの可動接続シャフトは、前記制御棒を連動し、前記サポートジョイントの接合挿入槽から抜き取ることを特徴とする自転車ペダルの組み立て構造。
【請求項２】
前記弾性体は、細長い形状のバネであることを特徴とする請求項１に記載の自転車ペダルの組み立て構造。
【請求項３】
前記定位体は、球形のスチールボールであることを特徴とする請求項１に記載の自転車ペダルの組み立て構造。
【請求項４】
前記制御棒の末端には、停止盤を設置することを特徴とする請求項１に記載の自転車ペダルの組み立て構造。
【請求項５】
前記サポートジョイントの接合挿入槽の長さは、前記ペダルの可動接続シャフトがすべて挿入設置可能な長さが適当であることを特徴とする請求項１に記載の自転車ペダルの組み立て構造。
【請求項６】
前記定位孔内には、スタッフを詰めることができることを特徴とする請求項１に記載の自転車ペダルの組み立て構造。
【請求項７】
前記定位孔の内壁には、内ネジヤマを設置し、さらに、外ネジヤマを備えるロック部品を、前記定位孔内に螺入し、
これにより前記ロック部品の内端は、前記定位体を強力に押さえ付け、
こうして前記定位体は、前記定位棒を強力に押さえ付け、移動不能とすることを特徴とする請求項１に記載の自転車ペダルの組み立て構造。
【考案の詳細な説明】
【技術分野】
【０００１】
本考案は自転車ペダルの組み立て構造に関し、特にペダルを操作し、クランプから随時抜き取ることができ、また、ペダルを同一組立て構造上において反対方向に挿入して設置することができ、これにより置き忘れ、或いは遺失の可能性を排除し、さらにペダルのスペースを削減し、輸送時の体積と保管スペースを節減可能な自転車ペダルの組立て構造に関する。
【背景技術】
【０００２】
自転車のペダルは、自転車に組み立て、足で踏み込むもので、自転車を前進させるための組み立て部品である。
自転車ペダルの従来の構造は、ペダル面(各種造形が可能)、及び側面に延伸する可動接続シャフトを備える。
組み立て時には、可動接続シャフトと前輪両側から反対方向に延伸するクランプの外端を可動接続し、これによりペダル面を、自転車の両側にそれぞれ存在させ、自転車の車体と垂直に交差させ、踏み込みの便を図る。
【０００３】
一方、従来の自転車(特に、折畳み自転車)では、運送材の体積と保管スペースを節減するため、組立てられたペダルが折畳まれて(すなわち、使用しない時には、ペダル面は折畳まれクランプと接触している)おり、或いは組み立てと分解に容易な構造(操作の便のため、ペダルを取り外して、別に収納する)に組立てられている。
すなわち、折畳み可能なペダルであろうと、組み立てと分解が容易なペダルであろうと、随時操作しペダル空間を節減するために設定されている。
しかし、ペダルを折畳む方式では、しばしば構造が複雑で、操作が容易でないという欠点があり、ペダルを取り外して、別に収納する方式では、しばしば収納場所などを忘れてしまい(時間を費やして探さなければならない)、或いは遺失してしまう(どうしても見つからない)という欠点がある。
すなわち、従来の自転車ペダルの組み立て構造の使用方式は、理想的とは言えない。
本考案は、従来の自転車ペダルの組み立て構造の上記した欠点に鑑みてなされたものである。
【考案の概要】
【考案が解決しようとする課題】
【０００４】
本考案が解決しようとする第一の課題は、随時操作してペダルをクランプから、便利に取り外すことができる自転車ペダルの組み立て構造を提供することである。
【０００５】
本考案が解決しようとする第二の課題は、ペダルをクランプから取り外した後に、ペダルを同一の組み立て構造上に、反対向きに挿入して設置することができ、これにより別に収納して忘れ、或いは遺失してしまう可能性を払拭し、こうしてペダルのスペースを削減し、運送材の体積と保管スペースを節減することができる自転車ペダルの組み立て構造を提供することである。
【課題を解決するための手段】
【０００６】
上記課題を解決するため、本考案は下記の自転車ペダルの組み立て構造を提供する。
自転車ペダルの組み立て構造は、ペダル、サポートジョイント、クランプを備え、
該ペダルは、ペダル面を備え、その片側には、可動接続シャフトを延伸し、
該可動接続シャフトは、外端から内部へ挿入設置槽を形成し、内周縁上には、定位槽孔を設置し、
該ペダルはさらに、制御棒、弾性体、定位体を備え、
該制御棒の棒体上には、頂点面位置、及び相対的に低い受け止め槽を設置し、棒体の先端には、プッシュヘッドを形成し、
該弾性体は、先ず、該可動接続シャフトの挿入設置槽内に入り、
次に、該弾性体に接触するまで該制御棒を挿入し、該制御棒の頂点面位置と受け止め槽の内の一方は、該定位槽孔に対応し、
こうして、該定位体を、該定位槽孔外部から挿入し、その底縁は該制御棒の頂点面位置と受け止め槽の内の一方に接触し、
続いて、加工により、該定位槽孔の外部開口部を内側へと縮め、該定位体が該定位槽孔から脱出しないようにし、
該サポートジョイントは、円柱状の短いブロック体で、片側からは接合用の外ネジヤマが延伸し、縦方向に、接合挿入槽が貫通し、内縁には、定位孔を設置し、
該クランプの一方の端は、自転車上に組み立て、反対端には、接合用の内ネジヤマを設置し、
該サポートジョイントの外ネジヤマを、該クランプの内ネジヤマ内に螺接し、
次に、該可動接続シャフトを、該サポートジョイントの接合挿入槽から挿入して接合し、該制御棒の頂点面位置により、該定位体を持ち上げ上方へと移動させ、該サポートジョイントの定位孔内に入れ停留させ、こうして接合し、
該プッシュヘッドを押すことで、該制御棒の受け止め槽には、該定位体が入り停留し、こうして、該ペダルの可動接続シャフトは、該制御棒を連動し、該サポートジョイントの接合挿入槽から抜き取り、
該弾性体は、細長い形状のバネで、
該定位体は、球形のスチールボールで、
該制御棒の末端には、停止盤を設置し、
該サポートジョイントの接合挿入槽の長さは、該ペダルの可動接続シャフトがすべて挿入設置可能な長さが適当で、
該定位孔内には、スタッフを詰めることができ、
該定位孔の内壁には、内ネジヤマを設置し、さらに、外ネジヤマを備えるロック部品を、該定位孔内に螺入し、
これにより該ロック部品の内端は、該定位体を強力に押さえ付け、
こうして該定位体は、該定位棒を強力に押さえ付け、移動不能とする。
【考案の効果】
【０００７】
本考案自転車ペダルの組み立て構造は、同一の組み立て構造により、分解後に反対に挿入設置したペダルを収納し、同一自転車上に収納するため、忘れたり、遺失したりする恐れはなく、さらに、収納場所は両側のクランプ間の空間内であるため、体積を節減でき、必要なスペースを縮小することができる。
【図面の簡単な説明】
【０００８】
【図１】本考案実施例の立体分解図である。
【図２】本考案実施例の組合せ断面及び大部分分解図である。
【図３】本考案実施例部分構造の組合せ断面拡大図である。
【図４】本考案実施例において、ペダルの可動接続シャフトを操作して、サポートジョイントの接合挿入槽に挿入して設置する動作過程を示す模式図である。
【図５】本考案実施例において、ペダルの可動接続シャフトを操作して、サポートジョイントの接合挿入槽に挿入して設置する動作過程を示す模式図である。
【図６】本考案実施例において、ペダルの可動接続シャフトを操作して、サポートジョイントの接合挿入槽に挿入して設置する動作過程を示す模式図である。
【図７】本考案実施例において、ペダルを外側に挿入して設置する様子を示す模式図である。
【図８】本考案実施例において、ペダルを操作し抜き取る動作を示す模式図である。
【図９】本考案実施例において、ペダルを内側に挿入して設置する様子を示す模式図である。
【図１０】本考案実施例において、自転車ペダルが外側挿入設置方式を完成した様子を示す模式図である。
【図１１】本考案実施例において、自転車ペダルが内側挿入設置方式を完成した様子を示す模式図である。
【図１２】本考案実施例において、スタッフを追加した構造を示す模式図である。
【図１３】本考案実施例において、ロック部品を追加した構造を示す模式図である。
【図１４】本考案実施例のロック部品の立体図である。
【考案を実施するための形態】
【０００９】
以下に図面を参照しながら本考案を実施するための最良の形態について詳細に説明する。  
【００１０】
図１、２に示すように、本考案一実施例の自転車ペダルの組み立て構造は、ペダル１０、サポートジョイント２０、クランプ３０を備える。
ペダル１０は、ペダル面１１(各種造形が可能)を備え、その片側には、可動接続シャフト１２を延伸する。
可動接続シャフト１２は、外端から内部へ挿入設置槽１２１を形成し、内周縁上には、外界へと通じる定位槽孔１２２を設置する。
ペダル１０は別に、制御棒１３、弾性体１４(細長い形状のバネなど)、定位体１５(球形のスチールボールなど)を備える。
制御棒１３は、挿入設置槽１２１内に挿入して設置する棒体で、その末端には、停止盤１３１を形成する。
制御棒１３側辺には、頂点面位置１３２を設置し、相対的に低い受け止め槽１３３へと続く。
棒体の反対端(先端)には、プッシュヘッド１３４を形成する。
図２、３に示すように、組み立て時には、先ず弾性体１４を可動接続シャフト１２の挿入設置槽１２１内に挿入する。
次に、制御棒１３を、停止盤１３１を設置する末端より、その末端が弾性体１４に接触するまで、挿入して設置する。
続いて、プッシュヘッド１３４にいくらか力を加えて押し入れる。
これにより、制御棒１３の頂点面位置１３２、或いは受け止め槽１３３は、定位槽孔１２２に対応する。
次に、定位体１５を、定位槽孔１２２外部から入れ、その底縁を、頂点面位置１３２に接触させ、或いは受け止め槽１３３へ接触させる(図３は、頂点面位置１３２に接触する状態の拡大模式図)。
続いて、破壊性加工手段により、定位槽孔１２２の外部開口部をやや内側へと縮小させ、定位体１５のすべてが、定位槽孔１２２外部へと脱出しないようにする。
但し、定位体１５の一部は、定位槽孔１２２の外部開口部から突出しており、内部へと移動することができる。
そのため、プッシュヘッド１３４を押し(棒状物、或いは指を利用して押す)、制御棒１３の受け止め槽１３３を定位体１５に対応させると(図５、８参照)、定位体１５の底部は、受け止め槽１３３内に入る。
しかも、それらはサイズを適当に設計してあるため、この状態時に、定位体１５の頂点縁は、挿入設置槽１２１の外表面に突出しない。
プッシュヘッド１３４への圧迫を解除すると(図７、９参照)、弾性体１４の圧縮弾力により、制御棒１３を押して外へと移動させ、制御棒１３の頂点面位置１３２は定位体１５を押し上げる。
これと同時に、制御棒１３の停止盤１３１も、定位体１５に阻害されるため、制御棒１３を、挿入設置槽１２１から、再び抜き取ることはできなくなる。
【００１１】
図１、２に示すように、サポートジョイント２０は、円柱状の短いブロック体で、片側からは接合用の外ネジヤマが延伸し、縦方向に、接合挿入槽２２が貫通し、内縁には、定位孔２３を設置する。
接合挿入槽２２の長さは、ペダル１０の可動接続シャフト１２がすべて、挿入設置される長さが適当である。
クランプ３０は、自転車上の従来の部品で、その一端は、自転車上に組み立て、反対端には、接合用の内ネジヤマ３１を設置する。
図２に示すように、組み立て時には、サポートジョイント２０の外ネジヤマ２１を、先ず、クランプ３０の内ネジヤマ３１内に螺接し、安定的に接合させる。
次に、手で、ペダル１０のペダル面１１を持ち、これにより可動接続シャフト１２は、サポートジョイント２０の接合挿入槽２２の外側から、挿入され、接合される(これを、外側からの挿入設置方式と呼称する)。
【００１２】
上記した挿入設置過程における、操作の手順を以下に説明する。
一、可動接続シャフト１２が、サポートジョイント２０の接合挿入槽２２内へと挿入さる時には、先ず図４に示すように、弾性体１４は、定位槽孔１２２外部の開口部分から突出しており、接合挿入槽２２の槽壁に接触しており、これにより、可動接続シャフト１２は前進できない。この時、使用者は、図５に示すように、棒状物(外出時に必ず携帯するカギ、或いは小型のドライバー、箸、木の枝などの棒状物など)を利用し、それを、接合挿入槽２２の反対端の開口部から挿し込み、プッシュヘッド１３４を押す。これにより、制御棒１３は内部へと移動し、制御棒１３の受け止め槽１３３は、定位体１５に対応する。その瞬間、定位体１５は、受け止め槽１３３内に入り、停留する(図５参照)。こうして、可動接続シャフト１２は、前進が可能となる(図６参照)ので、この時には棒状物を放しプッシュヘッド１３４への圧迫を解除する。
二、可動接続シャフト１２が、接合挿入槽２２の最も深い位置まで前進すると、図７に示すように、定位体１５も、ちょうどサポートジョイント２０の定位孔２３へと至る。これと同時に、弾性体１４が制御棒１３へ加える圧縮弾力による押し動かしは、制御棒１３を外へと移動させ、頂点面位置１３２により、定位体１５を上方へと押し上げ、定位孔２３内へと進入させ、停留する。そのため、この時には、ペダル１０の可動接続シャフト１２をサポートジョイント２０の接合挿入槽２２から抜き取ることができず、これによりペダル１０は、使用状態を形成する。よって、自転車両側のクランプ３０をサポートジョイント２０に組み立て、ペダル１０の可動接続シャフト１２に挿入して接合しさえすれば、ペダル１０を使用して踏み込み、自転車を走行させることができる。
【００１３】
輸送、或いは倉庫に保管する時には、先ず、ペダル１０をサポートジョイント２０から抜き取り、体積を縮小し、必要なスペースを減少させることができる。
その操作手順を以下に説明する。
一、図８に示すように、手で、プッシュヘッド１３４を押し、制御棒１３を内側へと移動させる。これにより、制御棒１３の受け止め槽１３３は、定位体１５に対応し、その瞬間、定位体１５は、受け止め槽１３３内に入り停留する。この時、手でペダル１０を持ち、可動接続シャフト１２(制御棒１３も一緒に)を、サポートジョイント２０の接合挿入槽２２から抜き取り、こうして図２に示す状態を回復させる。
二、可動接続シャフト１２が接合挿入槽２２を離れると、制御棒１３は、既に圧迫を受けなくなるため、弾性体１４が制御棒１３を圧縮弾力により押すことで、制御棒１３は外へと移動し、その頂点面位置１３２は、定位体１５を持ち上げ上方へと移動させる(図２参照)。
三、続いて、使用者は、抜き取ったペダル１０を反対向きに設置し、可動接続シャフト１２を、サポートジョイント２０の接合挿入槽２２の内側から挿入し(これを、内側挿入設置方式と呼称する)、上記した図４、５、６に示す外側挿入方式と同様(但し、方向は反対)の動作手順で、接合を完成し、図９に示す状態を形成する。
【００１４】
図１０は、ペダル１０の外側挿入設置方式における正常使用状態を示し、図１１は、ペダル１０の内外側挿入設置方式における収納状態を示す。
図１１に示すように、本考案実施例は、同一組み立て構造を利用して、抜き取った後に反対向きに挿入設置したペダル１０を収納するが、同一の自転車上に収納するため、忘れる、或いは遺失する可能性が絶対にない。
さらには、収納した場所は、両側のクランプが隔てる空間内であるため、突出することがなく、よって、体積を縮小し、必要なスペースを減少させることができる。
【００１５】
次に、本考案実施例において、ゴム質のスタッフ２４を追加した構造を示す模式図である図１２に示すように、上記した組合せを完成後に、スタッフ２４を定位孔２３内に入れ、ほこりや水分などが、定位孔２３内に入らないようにすることができる。
【００１６】
さらに、本考案実施例において、ロック部品２５を追加した構造を示す模式図である図１３、本考案実施例のロック部品の立体図である図１４に示すように、本考案が追加する外ネジヤマを備えるロック部品２５は、その外端に、特殊な造形の連動凹槽２５１(図１４参照)を形成し、定位孔２３の内壁には、ロック部品２５の外ネジヤマと対応する内ネジヤマ２３１を設置する。
上記した組合せを完成後に、連動凹槽２５１の造形と対応する連動端を備える工具(図示なし)により、ロック部品２５を連動し、定位孔２３内において挿入し螺合する。
これにより、ロック部品２５の内端は、定位体１５を強力に押さえ付け、こうして定位体１５は、制御棒１３を強力に押さえ付け、移動不能とする。
この時、プッシュヘッド１３４を外から押しても、制御棒１３を移動させることはできないため、ほこり、水分が定位孔２３内へと進入しないように防止する作用を備える他に、サポートジョイント２０から他人がペダル１０を勝手に抜き取らないように防止する作用を備える。
使用者自身が、ペダルをサポートジョイント２０から抜き取ろうとする時には、工具を用いて、ロック部品２５を反対方向へとわずかに螺出させるだけで良い。
これにより、ロック部品２５の内端が定位体１５を強力に押さえ付け、さらに制御棒１３を押さえ付けていた状態を解除することができ、外からプッシュヘッド１３４を押して制御棒１３を移動させ、ペダル１０をサポートジョイント２０から抜き取ることができる。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は特許請求の要件である新規性を備え、従来の同類製品に比べ十分な進歩を有し、実用性が高く、社会のニーズに合致しており、産業上の利用価値は非常に大きい。
【符号の説明】
【００１９】
１０  ペダル
１１  ペダル面
１２  可動接続シャフト
１２１  挿入設置槽
１２２  定位槽孔
１３  制御棒
１３１  停止盤
１３２  頂点面位置
１３３  受け止め槽
１３４  プッシュヘッド
１４  弾性体
１５  定位体
２０  サポートジョイント
２１  外ネジヤマ
２２  接合挿入槽
２３  定位孔
２３１  内ネジヤマ
２４  スタッフ
２５  ロック部品
２５１  連動凹槽
３０  クランプ
３１  内ネジヤマ
【図１】
0003154772.tif 000003
【図２】
0003154772.tif 000004
【図３】
0003154772.tif 000005
【図４】
0003154772.tif 000006
【図５】
0003154772.tif 000007
【図６】
0003154772.tif 000008
【図７】
0003154772.tif 000009
【図８】
0003154772.tif 000010
【図９】
0003154772.tif 000011
【図１０】
0003154772.tif 000012
【図１１】
0003154772.tif 000013
【図１２】
0003154772.tif 000014
【図１３】
0003154772.tif 000015
【図１４】
0003154772.tif 000016